(57)【要約】【課題】  １年間に限定されず、数年間にわたって、記念写真等を貼り付けして楽しむことができるメモリアルカレンダーを提供する。【解決手段】  本考案のメモリアルカレンダー１は、表紙と、本文用の用紙の都合４枚〜１４枚の等大の用紙が、綴じ針等により中綴じされているメモリアルカレンダーであって、中綴じ部より見開きした各ページまたは見開き２ページは、ひと月分に割り当てられていて、１月から１２月の月名の表示印刷１１が順次されており、当該各ページまたは見開き２ページには、各月の日付け等表示領域１３と記念写真貼り付け領域１２が含まれており、前記日付け等表示領域１３は、印刷した各月の日付け１３１欄と、当該日付け欄において利用者が書き込みをする複数の年号１３２と曜日１３３、複数の記念写真ナンバー１３４と記念日の内容１３５、を記入する欄と、からなることを特徴とする。【選択図】    図１
0003125065.tif 000002
【実用新案登録請求の範囲】
【請求項１】
表紙と、本文用の用紙の都合４枚の等大の用紙が、綴じ針により中綴じされているメモリアルカレンダーであって、中綴じ部より見開きした表紙裏と見返しは、メモリアルカレンダーの使用方法の説明欄とメモ記入欄に割り当てられ、以降の各１ページは、ひと月分に割り当てられていて、１月から１２月の月名の表示印刷が順次されており、当該各ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー。
【請求項２】
表紙と、本文用の用紙の都合７枚の等大の用紙が、綴じ針により中綴じされているメモリアルカレンダーであって、中綴じ部より見開きした表紙裏と見返しは、メモリアルカレンダーの使用方法の説明欄とメモ記入欄に割り当てられ、以降の上下または左右の見開き２ページは、ひと月分に割り当てられていて、１月から１２月の月名の表示印刷が順次されており、当該上下または左右の２ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー。
【請求項３】
表紙と、本文用の用紙の都合８枚の等大の用紙が、スパイラル綴じされているメモリアルカレンダーであって、綴じ部より見開きした表紙裏と見返しは、メモリアルカレンダーの使用方法の説明欄とメモ記入欄に割り当てられ、以降の各１ページは、ひと月分に割り当てられていて、１月から１２月の月名の表示印刷が順次されており、当該各ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー。
【請求項４】
表紙と、本文用の用紙の都合７枚の等大の用紙が、スパイラル綴じされているメモリアルカレンダーであって、綴じ部より見開きした表紙裏は、メモリアルカレンダーの使用方法の説明欄に割り当てられ、以降の各１ページは、ひと月分に割り当てられていて、１月から１２月の月名の表示印刷が順次されており、当該各ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー。
【請求項５】
表紙と、本文用の用紙の都合１４枚の等大の用紙が、スパイラル綴じされているメモリアルカレンダーであって、綴じ部より見開きした表紙裏と見返しは、メモリアルカレンダーの使用方法の説明欄とメモ記入欄に割り当てられ、以降の上下または左右の見開き２ページは、ひと月分に割り当てられていて、１月から１２月の月名の表示印刷が順次されており、当該上下または左右の２ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー。
【請求項６】
表紙と、本文用の用紙の都合１３枚の等大の用紙が、スパイラル綴じされているメモリアルカレンダーであって、裏表紙をメモリアルカレンダーの使用方法の説明欄とし、綴じ部より見開きした表紙裏からの上下または左右の見開き２ページは、ひと月分に割り当てられていて、１月から１２月の月名の表示印刷が順次されており、当該上下または左右の２ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー。
【請求項７】
スパイラル綴じがツインリングによりされていることを特徴とする請求項３ないし請求項６のいずれか１の請求項記載のメモリアルカレンダー。
【請求項８】
各月毎の用紙の記念写真貼り付け領域には、当月の季節に相応した絵柄印刷がされていることを特徴とする請求項１から請求項６のいずれか１の請求項記載のメモリアルカレンダー。
【考案の詳細な説明】
【技術分野】
【０００１】
本考案は、記念写真を貼り付けする領域と、写真を撮影した年号と日付けと対応した曜日を記入する領域と、記念写真ナンバー、記念日の内容を記入する欄と、を有するメモリアルカレンダーに関する。あらかじめ、年号と曜日が印刷されてなく、各月の日付けに対応する年号と曜日は、利用者が自由に書き込みできるので、カレンダーとしての機能よりもアルバムとしての機能が重視されている。
従って、メモリアルアルバムとも表現できる媒体であるが、日付けに対応する年号と曜日の記入欄、記念写真ナンバー、記念日の内容を記入する欄、を有し、それに対応した記念写真とを、中綴じした上下または左右のページに整理できる点で、従来からのアルバムとも相違している。
【背景技術】
【０００２】
従来より、さまざまなカレンダーが販売され利用されている。このようなカレンダーの中には、単純に用紙に日付けが印刷されているだけでなく各種の工夫がされている。
例えば、特許文献１は、パーソナルカレンダーであって、個人／家族単位でそれぞれに相応しい個別情報を印刷したカレンダーを提案している。また、特許文献２は、１年間の予定を書き込みできるカレンダーを提案している。
【０００３】
【特許文献１】特開平８−１２７１８９号公報
【特許文献２】特開２００６−２６９５３号公報
【０００４】
しかし、カレンダー自体に記念写真を貼り付けできる形態にしたものは提案されていない。一方、従来から市販されているアルバムには、その撮影年月日や撮影場所等を記入する欄を設けたものも市販されているが、１ケ月単位で整理できるようにしたものは見当たらない。したがって、アルバムに記念写真を貼り付けしても、どのページに何の写真があるのかが判り難く散漫な状態になり易く、いずれ本人も飽きてしまうことが多い。
【考案の開示】
【考案が解決しようとする課題】
【０００５】
一般にカレンダーは１年間の使用を目的とし、年が変われば新しいものを使用することを前提としている。そのため、カレンダーに記念写真を貼り付けたとしても翌年には見ることができず、翌年以降も続けて見るためには貼り替えの手間がかかる問題がある。
ところで、想い出深い記念写真はできるだけ永く残し、２〜３年間、あるいは数年間は繰り返して見ていたいというのが人情である。
そこで、本考案は従来のカレンダーとは異なる工夫をして、記念写真を各月毎のページに貼り付け可能にすると共に、少なくとも２〜３年間、あるいはそれ以上の年月の期間継続して利用できる形態を考慮したものである。
【課題を解決するための手段】
【０００６】
上記課題を解決する本考案の要旨の１は、表紙と、本文用の用紙の都合４枚の等大の用紙が、綴じ針により中綴じされているメモリアルカレンダーであって、中綴じ部より見開きした表紙裏と見返しは、メモリアルカレンダーの使用方法の説明欄とメモ記入欄に割り当てられ、以降の各１ページは、ひと月分に割り当てられていて、１月から１２月の月名の表示印刷が順次されており、当該各ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー、にある。
【０００７】
上記課題を解決する本考案の要旨の２は、表紙と、本文用の用紙の都合７枚の等大の用紙が、綴じ針により中綴じされているメモリアルカレンダーであって、中綴じ部より見開きした表紙裏と見返しは、メモリアルカレンダーの使用方法の説明欄とメモ記入欄に割り当てられ、以降の上下または左右の見開き２ページは、ひと月分に割り当てられていて、１月から１２月の月名の表示印刷が順次されており、当該上下または左右の２ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー、にある。
【０００８】
上記課題を解決する本考案の要旨の３は、表紙と、本文用の用紙の都合８枚の等大の用紙が、スパイラル綴じされているメモリアルカレンダーであって、綴じ部より見開きした表紙裏と見返しは、メモリアルカレンダーの使用方法の説明欄とメモ記入欄に割り当てられ、以降の各１ページは、ひと月分に割り当てられていて、１月から１２月の月名の表示印刷が順次されており、当該各ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー、にある。
【０００９】
上記課題を解決する本考案の要旨の４は、表紙と、本文用の用紙の都合７枚の等大の用紙が、スパイラル綴じされているメモリアルカレンダーであって、綴じ部より見開きした表紙裏は、メモリアルカレンダーの使用方法の説明欄に割り当てられ、以降の各１ページは、ひと月分に割り当てられていて、１月から１２月の月名の表示印刷が順次されており、当該各ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー、にある。
【００１０】
上記課題を解決する本考案の要旨の５は、表紙と、本文用の用紙の都合１４枚の等大の用紙が、スパイラル綴じされているメモリアルカレンダーであって、綴じ部より見開きした表紙裏と見返しは、メモリアルカレンダーの使用方法の説明欄とメモ記入欄に割り当てられ、以降の上下または左右の見開き２ページは、ひと月分に割り当てられていて、１月から１２月の月名の表示印刷が順次されており、当該上下または左右の２ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー、にある。
【００１１】
上記課題を解決する本考案の要旨の６は、表紙と、本文用の用紙の都合１３枚の等大の用紙が、スパイラル綴じされているメモリアルカレンダーであって、裏表紙をメモリアルカレンダーの使用方法の説明欄とし、綴じ部より見開きした表紙裏からの上下または左右の見開き２ページは、ひと月分に割り当てられていて、１月から１２月の月名の表示印刷が順次されており、当該上下または左右の２ページには、各月の日付け等表示領域と記念写真貼り付け領域が含まれており、前記日付け等表示領域は、印刷した各月の日付け欄と、当該日付け欄において利用者が書き込みをする複数の年号と曜日、複数の記念写真ナンバーと記念日の内容、を記入する欄と、からなることを特徴とするメモリアルカレンダー、にある。
【００１２】
上記要旨の３〜６の考案においては、スパイラル綴じがツインリングによりされている、ようにすることが好ましく、要旨の１〜６の考案においては、各月毎の用紙の記念写真貼り付け領域には、当月の季節に相応した絵柄印刷がされている、ようにすることが好ましい。
【考案の効果】
【００１３】
本考案のメモリアルカレンダーは、年号と曜日が印刷されていないので、自由に書き込みして使用できる。従って、１年間だけ使用することに限らず、２〜３年間あるいは数年間にわたって、大切な想い出となる記念写真を貼り付けて鑑賞することができる。
本考案のメモリアルカレンダーは、記念写真貼り付け領域を有し、写真を貼り付けできるばかりでなく、記念写真を撮影した年号や曜日、記念写真ナンバー、記念日の内容、を記入する欄を有するので、メモ帳や日記としての役割を果たすことができる。
目的に応じて複数種のメモリアルカレンダーを備えれば、趣味や対象物（ペットや動植物）に応じた履歴をアルバムとして残すことができる。
中綴じした用紙の表裏を利用可能にしたので、全体的にコストを節減したメモリアルカレンダーにすることができる。
【考案を実施するための最良の形態】
【００１４】
以下、本考案の実施形態について、図面を参照して説明する。
なお以降、請求項１のものを第１形態、請求項２のものを第２形態とし、順次同様にして請求項６の第６形態までの形態を説明するものとする。
【００１５】
図１は、本考案に係るメモリアルカレンダーの第１形態の１月度のページを示す図、図２は、図１のページに記念写真を貼り付けした状態を示す図、図３は、同第２形態の１月度のページを示す図、図４は、同第３形態の１月度のページを示す図、図５は、メモリアルカレンダーの第１形態、第２形態の外観図、図６は、同第３形態〜第６形態の外観図、図７は、第１形態と第２形態のページの割り当て説明図、図８は、第３形態〜第６形態のページの割り当て説明図、図９は、ツインリングによる綴じ部を示す拡大図、である。
【００１６】
図１は、本考案に係るメモリアルカレンダーの第１形態の１月度のページを示す図である。第１形態と第２形態は、綴じ針により中綴じされているカレンダーに関する。
第１形態では、図１のように、１ページにひと月分の領域が割り当てられる。１ページの大きさは、Ｂ５判からＡ３判程度が好ましい。
メモリアルカレンダーの各月の用紙１０には、当月度の月名の表示印刷１１と、用紙の半分以上の面積を占める記念写真貼り付け領域１２と、日付け等表示領域１３とからなっている。複数年にわたる使用を目的とするので、暦年や２００７年等の年号の印刷はされていない。日付け１３１の印刷はされているが、日付けと対応付けした曜日の印刷はされていない。曜日は年によって変わるので利用時に書き入れする。
【００１７】
記念写真貼り付け領域１２はサービスサイズ等の写真を貼り付けするので、できる限り広い面積（各月毎の用紙の６〜７割）を有することが好ましい。日付け等表示領域１３は、メモ目的に使用するだけなので、余り広い面積にする必要はない。
第１形態は、１ページがひと月分になるので、各月の図１において上側（月名の表示印刷１１部分）が中綴じ部になる場合と小口側になる場合とが生じる。
カレンダーの形態を限定するものではないが、表紙の裏面はカレンダーの使用説明欄とすることができ、本文用の用紙の最初のページ（見返し）は、メモ記入欄としてもよい。このページ割り当ての場合は、１月度は、上側が小口になることになる。
【００１８】
日付け等表示領域１３は、図１の下側のだ円内に拡大して図示するように、１の日付けに対して、２〜４の曜日の記入が可能にされている。複数年の年号（暦年）にわたって使用するので、異なる曜日を記入可能にするためである。図１の場合は、３つの曜日の記入が可能にされ、印刷した各月の日付け１３１と、当該日付け欄において利用者が書き込みする複数の年号記入欄１３２と曜日記入欄１３３、複数のフォトナンバー記入欄１３４、複数の記念日の内容を記入する欄１３５、とから構成されている。複数年度の使用では同一の日の写真が生じるからである。
【００１９】
各月の日付け１３１は、１月なら３１日まで印刷し、２月は閏年を考慮して２９日まで印刷する。フォトナンバー記入欄１３４は、記念写真貼り付け領域１２の記念写真にナンバーを付して、当該ナンバーとの対応関係を明確にするためである。フォトナンバー記入欄１３４、記念日の内容を記入する欄１３５、も曜日の数に対応した数が設けられる。
【００２０】
日付け等表示領域１３の位置や記入項目は、図示のものに限定されず自由に設計可能である。日付け等表示領域１３を用紙１０の上辺や下辺、右辺に沿って設けてもよい。日付けの半分づつを左辺と右辺、あるいは上辺と下辺に分けて設けてもよいものである。
また、記念写真は同日に沢山撮影される場合も多いので、１の日付けに対応する記入欄１３２，１３３，１３４，１３５を縦かっこ括り線を付して拡張して使用してもよい。自由な感想やメモ記入欄を設けてもよいものである。
【００２１】
各月毎の用紙１０の記念写真貼り付け領域１２には、当月の季節に相応した絵柄印刷１４がされていることが好ましい。メモリアルカレンダーの意匠性を高めることと、利用者の趣向に合わせる趣旨である。したがって、季節の花柄や山・海の風景、シーズン性のスポーツ、犬や猫などのペット等、各種の絵柄を採用できることは、勿論のことである。
【００２２】
図２は、図１のページに記念写真を貼り付けした状態を示す図である。図２では、２枚の記念写真５ａ，５ｂを貼り付けしている。写真は各種サイズがあるが、Ｅサイズ（８２×１１７ｍｍ）やＬサイズ（８９×１２７ｍｍ）であれば、Ｂ５判〜Ａ３判で２枚〜６枚を貼り付けすることができる。円形や楕円形に切り抜いて貼り付けしてもよい。
記念写真５自体またはその周囲にフォトナンバー５ｎを記入し（写真自体に表示されている場合もある。）、当該フォトナンバーを日付け等表示領域１３のフォトナンバー記入欄１３４に記入して対応関係を明示する。
【００２３】
図２では、左側の記念写真５ａにフォトナンバー１、右側の円形の記念写真５ｂにフォトナンバー２が付され、日付け等表示領域１３には、それぞれの写真が、２００７年の１月１５日の月曜日と１６日の火曜日に撮影したことが判るようにされている。
すなわち、利用者は、１５日の年号記入欄１３２に、「２００７」と記入し、曜日記入欄１３３に、月曜日の「月」を記入し、フォトナンバー記入欄１３４に、「１」と記入し、記念日の内容記入欄１３５に、「同窓会」と記入している。また、１６日の年号記入欄１３２に、「２００７」と記入し、曜日記入欄１３３に、火曜日の「火」と記入し、フォトナンバー記入欄１３４に、「２」と記入し、記念日の内容記入欄１３５に、「成人式」と記入している。
【００２４】
図３は、同第２形態の１月度のページを示す図である。第２形態は、見開きした上下または左右の２ページがひと月分になるので、ページ間の折り線７である中心線部が中綴じ部になる。見開いた２ページの大きさは、Ｂ５判からＡ２判程度が好ましい。
前記のように、第１形態と第２形態は、中綴じが綴じ針３によりされている。綴じ針３は、中心のページに現れるので、１月度のページには実際には見えない。
カレンダーの形態を限定するものではないが、第２形態も表紙の裏面はカレンダーの使用説明欄とすることができ、本文用の用紙の最初のページ（見返し）は、メモ記入欄とするのがよい。このページ割り当てにした場合は、ひと月分を次の見開き２ページに設けることができる。
【００２５】
図３の場合、上段のページに当月度の月名の表示印刷１１がされ、記念写真貼り付け領域１２が設けられ、下段のページには、日付け等表示領域１３が設けられている。ただし、この上段、下段の関係は逆であっても良く、見開いた左右のいずれのページを、記念写真貼り付け領域１２、または日付け等表示領域１３としてもよいものである。領域１２と領域１３は、図３のように等しい面積とする必要もなく、適宜な配分にしてもよい。
日付け等表示領域１３も、図１の第１形態と同様に複数の年号記入欄１３２と曜日記入欄１３３、複数のフォトナンバー記入欄１３４、複数の記念日の内容を記入する欄１３５、とから構成するようにする。
【００２６】
第３形態から第６形態は、スパイラル綴じであって、綴じ穴を設け、ツインリングのような綴じ具により綴じられている。綴じ合わせをスパイラル綴じとしているが、スパイラルリングによる綴じ合わせに限定する意味ではない。
図４は、同第３形態の１月度のページを示す図である。見開いた上下ページ間は綴じ穴６を設け、綴じ具４により綴じられている。スパイラル綴じの場合、上下ページ間は連続しないで、切断されている。
第３形態は、都合８枚の等大の用紙からなり、ひと月分が１ページとなる。表紙裏は、メモリアルカレンダーの使用方法の説明欄に利用され、見返しは、メモ記入欄等に割り当てされる。用紙１０の１月度のページの下側は、２月度のページになる。
第４形態〜第６形態も同様であるが、ページ割り当てについては後述する。
【００２７】
図５は、メモリアルカレンダーの第１形態、第２形態の外観図である。第１形態と第２形態は使用する用紙の枚数が異なるだけであって、用紙の中心線部で、ホチキス針等の綴じ針３により中綴じされている点において共通の構成である。図５のように、外面には表紙２が設けられる。裏表紙は適宜な絵柄印刷を施すか、または白紙の状態にする。
第１形態は、表紙２を含め４枚の等大の用紙を使用するので、ひと月分が１ページであるのに対し、第２形態は、表紙２を含め７枚の等大の用紙を使用するので、ひと月分を２ページにすることができる。
【００２８】
図６は、メモリアルカレンダーの第３形態〜第６形態の外観図である。各形態は、スパイラル綴じした点でのみ、第１形態、第２形態とは相違している。スパイラル綴じの場合は、各月の用紙１０は、スパイラル綴じ部で連続しないで切断されている。
図６のように、外面には表紙２を設け、裏表紙は適宜な絵柄印刷を施すか、または白紙の状態にする。後述するように、第４形態では裏表紙のない状態になる。
第３形態と第４形態は、ひと月分が１ページであるのに対し、第５形態と第６形態は、ひと月分が見開き２ページになるようにされている。
【００２９】
図７は、第１形態と第２形態のページの割り当て説明図、図８は、第３形態〜第６形態のページの割り当て説明図、である。ただし、各実施形態を限定するものではない。
第１形態は、図７（Ａ）のように、表紙２の裏側がメモリアルカレンダーの使用方法の説明欄にされ、見返しがメモ記入欄にされている。以降の各見開きページは、１ページがひと月分に割り当てられている。裏表紙は白紙であってもよい。
第２形態は、図７（Ｂ）のように、表紙２の裏側がメモリアルカレンダーの使用方法の説明欄にされ、見返しがメモ記入欄にされている。以降は、各見開きの２ページがひと月分に割り当てられている。裏表紙は白紙であってもよい。
第１形態と第２形態は、小口に穴９を設けて吊るして使用するようにしてもよい。
【００３０】
第３形態は、図８（Ａ）のように、表紙２の裏側がメモリアルカレンダーの使用方法の説明欄にされ、見返しがメモ記入欄にされている。以降の各見開きページは、１ページがひと月分に割り当てられている。裏表紙は白紙であってもよい。
第４形態は、図８（Ｂ）のように、表紙２の裏側がメモリアルカレンダーの使用方法の説明欄にされている。メモ記入欄は省略され、以降の各見開きページは、１ページがひと月分に割り当てられている。第４形態の場合、最終ページが１２月分になり、裏表紙はない状態になる。
【００３１】
第５形態は、図８（Ｃ）のように、表紙２の裏側がメモリアルカレンダーの使用方法の説明欄にされ、見返しがメモ記入欄にされている。以降は、各見開きの２ページがひと月分に割り当てられている。裏表紙は白紙であってもよい。
第６形態は、図８（Ｄ）のように、表紙２の裏側から各見開きの２ページがひと月分に割り当てられている。裏表紙はメモリアルカレンダーの使用方法の説明欄にされている。個の場合は、表紙２のすぐ裏側が１月度に用いられるので、全体は１３枚の用紙でよい。  第３形態〜第６形態も吊るし用のフック８や穴９を設けることができる。
【００３２】
綴じ具４には、ツインリングやスパイラルリングを採用することもできる。ただし、スパイラルリングの場合は、用紙をめくり返しすると、下段の用紙との間にスパイラルの１ピッチだけ用紙のずれが生じるので、用紙めくりが困難になる問題がある。その点、ツインリングはそのような問題の生じない利点がある。
図９は、ツインリングによる綴じ部を示す図である。ツインリング４は、プラスチックで被覆した金属線材を連続的に折り曲げした後、断面が円形であって全体が円柱状のコイルになるように成型した綴じ具である。一般的に、ツインリングにより背部を綴じた後は、図９の状態になる。
【００３３】
メモリアルカレンダー１の表紙２と各月の用紙１０には、上質紙やコート紙、ファンシーペーパー等を使用できる。記念写真を貼り付けする各月の用紙１０は、糊や粘着剤の使用によって変形したり剥離しないようにやや厚めのもの（４６判、１３５〜２１０ｋｇ程度）を使用することが好ましい。カレンダーや写真の永久的な保存性を考慮する場合は、中性アルバム原紙等を使用するのが好ましい。写真を貼り付けできる粘着加工済用紙を使用してもよい。表紙と各月の用紙１０に印刷した後は、通常のカレンダー等の製本の手法により、丁合・綴じ合わせ製本してメモリアルカレンダー１を完成できる。
【００３４】
以上、本考案の実施形態について説明したが、本考案は上記実施例に限定されるものではない。メモリアルカレンダーの表紙がないもの、あるいは日付け等表示領域の記入欄に変更を加えた程度のものは本考案の均等の範囲に属するものである。
写真以外にも想い出に残る搭乗券や入場券を貼るものとしてもよいものである。
また、メモリアルカレンダーを卓上型専用スタイルや日めくり型、などのバリエーションとすることは、当業者が本考案に基づいてきわめて容易にできる程度のことである。
【図面の簡単な説明】
【００３５】
【図１】本考案に係るメモリアルカレンダーの第１形態の１月度のページを示す図である。
【図２】図１のページに記念写真を貼り付けした状態を示す図である。
【図３】同第２形態の１月度のページを示す図である。
【図４】同第３形態の１月度のページを示す図である。
【図５】メモリアルカレンダーの第１形態、第２形態の外観図である。
【図６】同第３形態〜第６形態の外観図である。
【図７】第１形態と第２形態のページの割り当て説明図である。
【図８】第３形態〜第６形態のページの割り当て説明図である。
【図９】ツインリングによる綴じ部を示す拡大図である。
【符号の説明】
【００３６】
１    メモリアルカレンダー
２    表紙
３    綴じ針
４    綴じ具、ツインリング
５，５ａ，５ｂ    記念写真
５ｎ  フォトナンバー
６    綴じ穴
７    折り線
１０    各月の用紙
１１    月名の表示印刷
１２    記念写真貼り付け領域
１３    日付け等表示領域
１４    絵柄印刷
【図１】
0003125065.tif 000003
【図２】
0003125065.tif 000004
【図３】
0003125065.tif 000005
【図４】
0003125065.tif 000006
【図５】
0003125065.tif 000007
【図６】
0003125065.tif 000008
【図７】
0003125065.tif 000009
【図８】
0003125065.tif 000010
【図９】
0003125065.tif 000011